(57)【要約】【課題】洗浄廃液が発生する洗浄作業現場にてその洗浄廃液の処理を容易且つ迅速に行うことができる空気調和機用洗浄廃液処理装置を提供する。【解決手段】空気調和機を洗浄した後の１〜２回分の洗浄廃液を貯留する貯留部６を有するタンク部２と、貯留部６の内底面で回転して貯留部６内の洗浄廃液Ｗを撹拌する撹拌装置と、タンク部２に隣接する筐体部３内に配管されて貯留部６内の洗浄廃液Ｗを循環させる配管ユニット１４と、配管ユニット１４の循環経路中に設けられた複数のフィルターユニット２４，２５，２６と、配管ユニット１４の中途部から分岐されて貯留部６と連通する分岐管ユニット１５の分岐経路中に設けられた中和装置３０と、分岐管ユニット１５よりも経路上流の配管ユニットの循環経路中に設けられた一つのポンプ２０と、ポンプ２０により貯留部６から配管ユニット１４へと供給された洗浄廃液Ｗをフィルターユニット２４，２５，２６を経由する循環経路又は中和装置３０を経由する分岐経路の一方を選択するバルブ２３，２８とを備えている。【選択図】　　　　図１
2004066060.tif 000002
【特許請求の範囲】
【請求項１】
空気調和機を洗浄した後の１回分以上の洗浄廃液を貯留する貯留部を有するタンク部と、前記貯留部の内底面で回転して前記貯留部内の洗浄廃液を撹拌する撹拌装置と、前記タンク部に隣接する筐体部内に配管されて前記貯留部内の洗浄廃液を循環させる配管ユニットと、該配管ユニットの循環経路中に設けられた複数のフィルターユニットと、前記配管ユニットの中途部から分岐されて前記貯留部と連通する分岐管ユニットの分岐経路中に設けられた中和装置と、前記分岐管ユニットよりも経路上流の前記配管ユニットの循環経路中に設けられた一つのポンプと、該ポンプにより前記貯留部から前記配管ユニットへと供給された洗浄廃液を前記フィルターユニットを経由する循環経路又は前記中和装置を経由する分岐経路の一方を選択するバルブとを備えていることを特徴とする空気調和機用洗浄廃液処理装置。
【請求項２】
前記タンク部と前記筐体部の少なくとも一方の底面に移動搬送用のキャスターが設けられていることを特徴とする請求項１に記載の空気調和機用洗浄廃液処理装置。
【請求項３】
前記フィルターユニット若しくは前記中和装置の少なくとも一方よりも経路上流に、該経路中を流れる洗浄廃液の水質を検出する水質検知センサーを設けたことを特徴とする請求項１又は請求項２に記載の空気調和機用洗浄廃液処理装置。
【請求項４】
前記貯留部内に、該貯留部内の洗浄廃液の濁度若しくは透明度を検出するセンサーを設けたことを特徴とする請求項１乃至請求項３の何れか一つに記載の空気調和機用洗浄廃液処理装置。
【請求項５】
前記センサーの検出状態を目視可能な報知手段を設けたことを特徴とする請求項３又は請求項４に記載の空気調和機用洗浄廃液処理装置。
【請求項６】
請求項１又は請求項２に記載の空気調和装置用洗浄廃液処理装置を用い、空気調和機を洗浄した後の１回分以上の洗浄廃液を貯留部に貯留した後、配管ユニットと分岐管ユニットとの経路を選択するバルブを操作して配管ユニットを選択した後、前記貯留部内の洗浄廃液を撹拌装置で撹拌させつつポンプを駆動させて洗浄廃液中の成分をフィルターユニットにて除去し、循環される前記貯留部内の洗浄廃液の濁度を目視して略透明な状態となったときに前記バルブを操作して分岐管ユニットを選択して中和装置により中和処理することを特徴とする空気調和機用洗浄廃液処理方法。
【請求項７】
請求項５に記載の空気調和装置用洗浄廃液処理装置を用い、空気調和機を洗浄した後の１回分以上の洗浄廃液を貯留部に貯留した後、配管ユニットと分岐管ユニットとの経路を選択するバルブを操作して配管ユニットを選択した後、前記貯留部内の洗浄廃液を撹拌装置で撹拌させつつポンプを駆動させて洗浄廃液中の成分をフィルターユニットにて除去し、循環される前記貯留部内の洗浄廃液の濁度が適正となったことを報知手段が報知したときに前記バルブを操作して分岐管ユニットを選択して中和装置により中和処理することを特徴とする空気調和機用洗浄廃液処理方法。
【請求項８】
請求項３又は請求項４に記載の空気調和装置用洗浄廃液処理装置を用い、空気調和機を洗浄した後の１回分以上の洗浄廃液を貯留部に貯留した後、センサーの検出に基づいてバルブを自動開閉操作することによって全自動で成分除去と中和処理の少なくとも一方を行うことを特徴とする空気調和機用洗浄廃液処理方法。
【発明の詳細な説明】
【０００１】
【発明の属する技術分野】
本発明は、空気調和機の熱交換器等を洗浄した際に発生するアルカリ廃液を作業現場にて処理することができる空気調和機用洗浄廃液処理装置及びその装置を用いた空気調和機用洗浄廃液処理方法に関する。
【０００２】
【従来の技術】
従来から、空気調和機の熱交換器は、使用期間と非使用期間とがあり、特に非使用期間中においては、塵埃等の堆積やカビの発生等があることから、使用期間に入る前に洗浄する方が好ましい。
【０００３】
一方、このような空気調和機の熱交換器を洗浄した後には、上述した塵埃やカビ等を含んだアルカリ廃液が発生する。
【０００４】
【発明が解決しようとする課題】
ところで、このようなアルカリ廃液は、専門業者等に委託して集中的に処理しているのが実情であり、その処理業者への委託料や作業現場からポリタンク等で持ち帰ったものをある程度保管してその本数がまとまった時点で車両にて運搬するなどの複雑且つ期間を要する委託前ランニングコストが発生するといった問題が生じていた。
【０００５】
しかも、近年の環境衛生等の企業責任を考慮すると、自社で出したアルカリ廃液の最終処分の行方を適式に把握している方が好ましいとも考えられる。
【０００６】
尚、空気調和機の洗浄時に発生するアルカリ廃液を作業現場にて洗浄処理することができる過般式の小型な装置は見受けられない。
【０００７】
そこで、このような空気調和機の洗浄分野以外の廃液処理装置全般を見ても、その廃液の種類によって態様が大きく異なる（例えば、複数の有機溶剤等を混入する装置（例えば、特開２０００−１９５８３３号公報参照）、長時間静置して不純物の沈殿を利用して水分と分離する装置（例えば、特開平９−２６２５８９号公報参照）など）ばかりでなく、上述した専用の委託業者で適用可能な大型・固定式であるうえ、１機（１回）に発生するアルカリ廃液の量（約２０リットル）を作業現場にて即時に処理することを考慮すると、何れも適用可能なものではない。
【０００８】
本発明は、上記問題を解決するため、洗浄廃液が発生する洗浄作業現場にてその洗浄廃液の処理を容易且つ迅速に行うことができる空気調和機用洗浄廃液処理装置を提供することを目的とする。
【０００９】
【課題を解決するための手段】
その目的を達成するため、本発明の空気調和機用洗浄廃液処理装置は、空気調和機を洗浄した後の１回分以上の洗浄廃液を貯留する貯留部を有するタンク部と、前記貯留部の内底面で回転して前記貯留部内の洗浄廃液を撹拌する撹拌装置と、前記タンク部に隣接する筐体部内に配管されて前記貯留部内の洗浄廃液を循環させる配管ユニットと、該配管ユニットの循環経路中に設けられた複数のフィルターユニットと、前記配管ユニットの中途部から分岐されて前記貯留部と連通する分岐管ユニットの分岐経路中に設けられた中和装置と、前記分岐管ユニットよりも経路上流の前記配管ユニットの循環経路中に設けられた一つのポンプと、該ポンプにより前記貯留部から前記配管ユニットへと供給された洗浄廃液を前記フィルターユニットを経由する循環経路又は前記中和装置を経由する分岐経路の一方を選択するバルブとを備えていることを特徴とする。
【００１０】
また、本発明の空気調和機用洗浄廃液処理装置は、前記タンク部と前記筐体部の少なくとも一方の底面に移動搬送用のキャスターが設けられていることを特徴とする。
【００１１】
また、本発明の空気調和機用洗浄廃液処理装置は、前記フィルターユニット若しくは前記中和装置の少なくとも一方よりも経路上流に、該経路中を流れる洗浄廃液の水質を検出する水質検知センサーを設けたことを特徴とする。
【００１２】
また、本発明の空気調和機用洗浄廃液処理装置は、前記貯留部内に、該貯留部内の洗浄廃液の濁度若しくは透明度を検出するセンサーを設けたことを特徴とする。
【００１３】
さらに、本発明の空気調和機用洗浄廃液処理装置は、前記センサーの検出状態を目視可能な報知手段を設けたことを特徴とする。
【００１４】
また、本発明の空気調和機用洗浄廃液処理方法は、請求項１又は請求項２に記載の空気調和装置用洗浄廃液処理装置を用い、空気調和機を洗浄した後の１回分以上の洗浄廃液を貯留部に貯留した後、配管ユニットと分岐管ユニットとの経路を選択するバルブを操作して配管ユニットを選択した後、前記貯留部内の洗浄廃液を撹拌装置で撹拌させつつポンプを駆動させて洗浄廃液中の成分をフィルターユニットにて除去し、循環される前記貯留部内の洗浄廃液の濁度を目視して略透明な状態となったときに前記バルブを操作して分岐管ユニットを選択して中和装置により中和処理することを特徴とする。
【００１５】
また、本発明の空気調和機用洗浄廃液処理方法は、請求項５に記載の空気調和装置用洗浄廃液処理装置を用い、空気調和機を洗浄した後の１回分以上の洗浄廃液を貯留部に貯留した後、配管ユニットと分岐管ユニットとの経路を選択するバルブを操作して配管ユニットを選択した後、前記貯留部内の洗浄廃液を撹拌装置で撹拌させつつポンプを駆動させて洗浄廃液中の成分をフィルターユニットにて除去し、循環される前記貯留部内の洗浄廃液の濁度が適正となったことを報知手段が報知したときに前記バルブを操作して分岐管ユニットを選択して中和装置により中和処理することを特徴とする。
【００１６】
さらに、本発明の空気調和機用洗浄廃液処理方法は、請求項３又は請求項４に記載の空気調和装置用洗浄廃液処理装置を用い、空気調和機を洗浄した後の１回分以上の洗浄廃液を貯留部に貯留した後、センサーの検出に基づいてバルブを自動開閉操作することによって全自動で成分除去と中和処理の少なくとも一方を行うことを特徴とする。
【００１７】
【発明の実施の形態】
次に、本発明の空気調和機用洗浄廃液処理装置の実施の形態を図面に基づいて説明する。
【００１８】
図１は本発明の空気調和機用洗浄廃液処理装置の配管説明図、図２は本発明の空気調和機用洗浄廃液処理装置のフィルター洗浄時の流水回路説明図、図３は本発明の空気調和機用洗浄廃液処理装置の中和処理時の流水回路説明図、図４（Ａ）は本発明の空気調和機用洗浄廃液処理装置の外観斜視図、図４（Ｂ）は本発明の空気調和機用洗浄廃液処理装置の平面図、図４（Ｃ）は本発明の空気調和機用洗浄廃液処理装置の縦断面図である。
【００１９】
図４において、本発明の空気調和機用洗浄廃液処理装置１は、図示を略す空気調和機の熱交換器等を洗浄した後の洗浄廃液Ｗを貯留する略円筒形状のタンク部２と、タンク部２に隣接する筐体部３と、タンク部２及び筐体部３の底面に設けられた複数のキャスター４と、タンク部２の底面に設けられてその突出量が調整可能なストッパ５とを備えている。
【００２０】
タンク部２は、本実施の形態では、２回分（約４０リットル）の洗浄廃液Ｗを一度に処理できるように、内径ｒ（半径）が約１８０ｍｍ、高さｈが約５００ｍｍの貯留部６と、貯留部６の内底面で回転する撹拌用円板７と、この撹拌用円板７を回転させるモータユニット８と、中和後の洗浄廃液Ｗを排出する排出管９と、この排出管９に設けられた排水バルブ１０と、一端がそれぞれ貯留部６の底面寄り・上端寄り・中間付近の３箇所で内部に臨み且つ他端が筐体部３に向かって突出するジョイント管１１，１２，１３とを備えている。尚、タンク部２の外観上の幅Ｄは４００ｍｍ、全高Ｈは８００ｍｍである。また、撹拌用円板７とモータユニット８とで撹拌装置を構成している。
【００２１】
筐体部３は、一端が貯留部６の底面寄りのジョイント管１１に接続され且つ他端が貯留部６の上端寄りのジョイント管１２に接続された配管ユニット１４と、一端が配管ユニット１４に接続され且つ他端が貯留部６の中間付近のジョイント管１３に接続された分岐管ユニット１５とを備えている。
【００２２】
配管ユニット１４は、図１乃至図３に示すように、ジョイント管１１との接続側から順に、バルブ１６、充填管１７、充填バルブ１８、Ｙ型ストレーナ１９、ポンプ２０、配水管２１、排水バルブ２２、バルブ２３、フィルターユニット２４，２５，２６、バルブ２７を備えている。
【００２３】
また、分岐管ユニット１５は、配管ユニット１４との接続側から順に、バルブ２８、水質検知センサー２９、アルカリ性廃液を中和するための中和装置３０、バルブ３１を備えている。
【００２４】
尚、筐体部３の適宜内部には、モータユニット８、ポンプ２０、バルブ１６，２３，２７，２８，３１が電磁弁の場合、及び水質検知センサー２９、中和装置３０の制御等を行うための制御回路（図示せず）を有する回路基板が設けられているが、ここでは図示を略する。また、充填バルブ１８と排水バルブ１０，２２は、手動による開閉弁の場合と電磁弁による自動開閉弁の何れでも良いが、電磁弁とした場合には、バルブ１６，２３，２７，２８，３１を電磁弁とした場合と同様に制御回路によって開閉制御される。また、バルブ１６，２３，２７，２８、３１を手動式とした場合には、貯留部６内の洗浄廃液Ｗの中和状態を目視するための透明窓等が設けられる。また、貯留部６内に洗浄廃液Ｗの濁度（透明度でも良い）を検出する濁度検出センサー３２を設けた場合には、この濁度検出センサー３２も制御回路によって制御される。
【００２５】
この際、水質検知センサー２９並びに濁度検出センサー３２の検出結果を放置する報知手段（例えば、ＬＥＤ発光など）を設け、その報知結果に基づいて手動によるバルブ切替等を行っても良い。
【００２６】
ここで、空気調和機を洗浄した場合の洗浄廃液（アルカリ廃液）について考えると、環境衛生的に問題となる主成分は、ｐＨ、ＢＯＤ／ＣＯＤ、全りん（無りんの洗浄剤を使用しなかった場合）、全窒素、ノマルヘキサン抽出量（油成分）、金属成分、ウイルス・バクテリア等である。
【００２７】
そこで、Ｙ型ストレーナ１９、フィルターユニット２４，２５，２６に使用されるフィルター材等としては、不織布フィルター（大きな粒子や不純物除去）、イオン交換樹脂（鉛、素養性着色液、重金属除去）、中空糸フィルター（雑菌などの細かい汚れ除去）、ヤシガラ、ピートモス等の活性炭（有害物質、カビ臭、カルキ臭除去）、ＫＤＦ５５Ｄ（重金属、ヒ素等除去）、ＮＡＳＡ開発のヨード樹脂（生物学的汚染物、ウイルス、バクテリア除去）等が考えられ、これらを適宜選択して適宜水流経路順に配置される。
【００２８】
また、水質検知センサー２９には、これら各主成分の除去状況を検知するもの（例えば、ｐＨ計、電気伝導率計、溶存酸素計等）が用いられる。
【００２９】
さらに、中和装置３０には、炭酸ガス中和（ボンベ又は重曹過熱）、クエン酸等の中和剤投入等を考慮したものが用いられる。
【００３０】
尚、本実施の形態では、３つの大型のフィルターユニット２４，２５，２６を設けたものとして開示したが、その数は特に限定されるものではない。また、使用されるフィルター材等によってその大きさも適宜変更可能であることは勿論である。また、本実施の形態のように３つのフィルターユニット２４，２５，２６を配置した場合には、筐体部３の内部スペースの有効利用を考慮し、図４（Ｂ）に示すように、配管を含めた略Ｖ字配列等とすることが好ましい。
【００３１】
また、配管ユニット１４と分岐管ユニット１５とを別々としたのは、洗浄廃液Ｗの処理機能を分離することで空気調和機毎に洗浄廃液Ｗに含まれる成分等が異なる（例えば、カビの発生有無等）ことへの対応と、コンパクトな筐体部３内に一つの循環経路で配管設計することの困難性を回避するためである。
【００３２】
このような構成において、手動で洗浄廃液の成分除去並びに中和処理を行うには、空気調和機を洗浄した後の１回分又は２回分の洗浄廃液を貯留部６に貯留した後、配管ユニット１４と分岐管ユニット１５の使用経路をバルブ１６，２３，２７，２８，３１を操作して配管ユニット１４を選択した後、貯留部６内の洗浄廃液を撹拌用円板７の回転により撹拌させつつポンプ２０を駆動させて洗浄廃液中の成分をフィルターユニット２４，２５，２６にて除去し、配管ユニット１４を経由して循環される貯留部６内の洗浄廃液の濁度を目視して略透明な状態となったときにバルブ１６，２３，２７，２８を操作して分岐管ユニット１５を選択し、中和装置３０にボンベ等を繋いで中和ガスを放出して中和処理を行い、所定時間中和処理を行った後行って排水バルブ１０，２２の少なくとも一方を開放して排水処理を行う。
【００３３】
この際、濁度の目視確認に変えて（又は併用して）濁度検出センサー３２の検出結果を報知手段で確認した後にバルブ１６，２３，２７，２８を操作し、水質検出センサーの検出結果を報知手段で確認した後に排水バルブ１０，２２を操作しても良い。
【００３４】
次に、全自動で洗浄廃液の成分除去並びに中和処理を行う場合を図１乃至図３を参照しつつ説明する。なお、各バルブにおいて、黒塗りの時はバルブ閉、白抜きのときはバルブ開状態を示す。
【００３５】
図１に示すように、全てのバルブ１０，１６，１８，２２，２３，２７，２８，３１が閉じている状態から、貯留部６内に１回分乃至２回分の洗浄廃液を貯留し、バルブ１８，２３，２８を開弁し、充填管１７から水道水を入れる（ポンプ２０駆動のための準備）。
【００３６】
この状態から、図２に示すように、バルブ１６，２３，２７を開弁、他のバルブ１０，１８，２２，２８，３１が閉弁すると共に、モータユニット８及びポンプ２０を駆動させる。
【００３７】
すると、貯留部６内の洗浄廃液Ｗが撹拌用円板７により撹拌されると共に、配管ユニット１４内を経由して再び貯留部６へと還元される循環経路を通過し、その通過時におけるＹ型ストレーナ１９、フィルターユニット２４，２５，２６により洗浄廃液Ｗに含まれる余分な成分が除去される。
【００３８】
そして、濁度検出センサー３２が貯留部６内の洗浄廃液の濁度を検出し、所定値以下の濁度となった時に、バルブ１６，２８，３１を開弁、他バルブ１０，１８，２２，２３，２７を閉弁とし、分岐管ユニット１５を利用した経路へと切り替える。
【００３９】
そして、図３に示すように、中和装置３０による経路内への中和ガスの放出により洗浄廃液Ｗが中和され、水質センサー２９がｐＨ値等を検出してその値が所定値以下（又は所定値以上）となったときに、モータ８並びにポンプ２０の駆動を停止すると共に、排水バルブ１０，２２を開弁して成分除去・中和処理後の洗浄廃液Ｗを自重により排水する。
【００４０】
【発明の効果】
本発明の空気調和機用洗浄廃液処理装置にあっては、以上説明したように構成したことにより、洗浄廃液が発生する洗浄作業現場にてその洗浄廃液の処理を容易且つ迅速に行うことができる。
【図面の簡単な説明】
【図１】本発明の実施の形態に係わる空気調和機用洗浄廃液処理装置の配管説明図である。
【図２】本発明の空気調和機用洗浄廃液処理装置のフィルター洗浄時の流水回路説明図である。
【図３】本発明の空気調和機用洗浄廃液処理装置の中和処理時の流水回路説明図である。
【図４】（Ａ）は本発明の空気調和機用洗浄廃液処理装置の外観斜視図、（Ｂ）は本発明の空気調和機用洗浄廃液処理装置の平面図、（Ｃ）は本発明の空気調和機用洗浄廃液処理装置の縦断面図である。
【符号の説明】
１　空気調和機用洗浄廃液処理装置、２　タンク部、３　筐体部、４　キャスター、５　ストッパ、６　貯留部、７　撹拌用円板（撹拌装置）、８　モータユニット（撹拌装置）、１４　配管ユニット、１５　分岐管ユニット、２０　ポンプ、２３　バルブ、２４，２５，２６　フィルターユニット、２８　バルブ、３０　中和装置。
【図１】
2004066060.tif 000003
【図２】
2004066060.tif 000004
【図３】
2004066060.tif 000005
【図４】
2004066060.tif 000006